(57)【特許請求の範囲】
【請求項１】
車両のフロア部のうち、車両前後方向の略中央部またはそれよりも車両後方寄りの部位に設けられた段差部と、
前記フロア部のうち、前記段差部に搭載された蓄電装置と、
前記フロア部の前記蓄電装置の搭載領域よりも車幅方向外方側の部位に接合されて車両前後方向に延びており、かつ略水平状の水平部の後部に曲げ部を介して繋がった後上がりの傾斜部を有している左右一対のサイドメンバと、
を備えている、車両構造であって、
前記車両が後突を生じて前記車両の後部への所定以上の荷重入力があったときに、前記フロア部のうち、前記蓄電装置の搭載領域よりも車両前方側の部分を起点として前記フロア部を屈曲させ、かつ前記蓄電装置を後上がり状に回転可能とする剛性断点を、さらに備えており、
前記剛性断点は、前記各サイドメンバのうち、前記後上がりの傾斜部よりも車両前方側の位置に設定され、かつ前記後上がりの傾斜部の後部に前記荷重入力があったときには、前記後上がりの傾斜部は、前記フロア部の前記蓄電装置の搭載領域を伴うようにして前記剛性断点を起点として後上がり状に回転可能とされており、
前記各サイドメンバの前記後上がりの傾斜部は、車両前後方向において、前記蓄電装置の前部とオーバラップする配置に設けられているとともに、前記後上がりの傾斜部の後部は、前記蓄電装置よりも上方かつ車両後方側に位置していることを特徴とする、車両構造。
【請求項２】
請求項１に記載の車両構造であって、
前記フロア部上のうち、前記蓄電装置の搭載領域の車両前方側に位置して車幅方向に延びるクロスメンバを、さらに備えており、
このクロスメンバは、上下高さ方向に起立し、かつ下部が前記フロア部に当接して接合された起立壁部を有しており、
この起立壁部の下部と前記フロア部との当接接合部は、少なくとも前記蓄電装置の車幅方向の幅よりも広い範囲において、上下および車両前後方向の凹凸段差が無く、車幅方向に直線状に延びた構成とされている、車両構造。
【請求項３】
請求項１または２に記載の車両構造であって、
前記フロア部に設けられて車両前後方向に延びるフロアトンネル部を、さらに備えており、
前記フロアトンネル部の後端部は、車両前後方向において、前記蓄電装置の搭載領域および前記段差部から車両前方側に離間した配置とされている、車両構造。
【請求項４】
請求項３に記載の車両構造であって、
前記フロアトンネル部の後端部を、前記蓄電装置の搭載領域および前記段差部のいずれかの固定車両部材に対して橋渡し状に連結するブレースを、さらに備えている、車両構造。
【請求項５】
請求項１ないし４のいずれかに記載の車両構造であって、
前記フロア部に設けられて車両前後方向に延びるフロアトンネル部の左右一対の基端部の下面側に接合され、かつ車両前後方向に延びる左右一対のインナメンバを、さらに備えており、
これら一対のインナメンバの後端部は、車両前後方向において、前記蓄電装置の搭載領域および前記段差部から車両前方側に離間した配置とされている、車両構造。
【発明の詳細な説明】
【技術分野】
【０００１】
本発明は、車両に搭載されたバッテリなどの蓄電装置を、車両の衝突時において好適に保護し得るようにされた車両構造に関する。
【背景技術】
【０００２】
車両構造の具体例として、特許文献１に記載のものがある。
同文献に記載の車両構造においては、車室のフロア部の段差部が形成されている箇所にリヤシートが配設されており、かつこのリヤシートの下方領域には、リチウムイオン二次電池などの大型のバッテリ（蓄電装置）が搭載されている。バッテリは、リヤシートのシートクッションフレームを兼用したバッテリ用の保護部材としての櫓状構造体によって覆われている。
このような構成によれば、バッテリを車室内にスペース効率良く搭載し得るとともに、櫓状構造体によって保護することができる。
【０００３】
しかしながら、前記した従来技術においては、次に述べるように、未だ改善すべき余地がある。
【０００４】
すなわち、バッテリが、車両のフロア部の車両前後方向略中央部またはそれよりも車両後方寄りの部位に設けられている場合、車両が後突を生じた際のバッテリ保護性能を高めることが望まれる。これに対し、前記従来技術においては、櫓状構造体を利用するなどして、バッテリの周辺各部の剛性を高める手段が採用されているが、このように各部の剛性を高める手段のみによってバッテリを十分に保護しようとすれば、重量の増大や、製造コストの上昇を招く。したがって、このような点において、改善の余地がある。
【先行技術文献】
【特許文献】
【０００５】
【特許文献１】特開２０１１−１２６４３９号公報
【発明の概要】
【発明が解決しようとする課題】
【０００６】
本発明は、前記したような事情のもとで考え出されたものであり、重量の増大や、製造コストの上昇などの不具合を防止または抑制しつつ、車両の後突時におけるバッテリなどの蓄電装置の保護性能を高めることが可能な車両構造を提供することを、その課題としている。
【課題を解決するための手段】
【０００７】
上記の課題を解決するため、本発明では、次の技術的手段を講じている。
【０００８】
本発明により提供される車両構造は、車両のフロア部のうち、車両前後方向の略中央部またはそれよりも車両後方寄りの部位に設けられた段差部と、前記フロア部のうち、前記段差部に搭載された蓄電装置と、前記フロア部の前記蓄電装置の搭載領域よりも車幅方向外方側の部位に接合されて車両前後方向に延びており、かつ略水平状の水平部の後部に曲げ部を介して繋がった後上がりの傾斜部を有している左右一対のサイドメンバと、を備えている、車両構造であって、前記車両が後突を生じて前記車両の後部への所定以上の荷重入力があったときに、前記フロア部のうち、前記蓄電装置の搭載領域よりも車両前方側の部分を起点として前記フロア部を屈曲させ、かつ前記蓄電装置を後上がり状に回転可能とする剛性断点を、さらに備えており、前記剛性断点は、前記各サイドメンバのうち、前記後上がりの傾斜部よりも車両前方側の位置に設定され、かつ前記後上がりの傾斜部の後部に前記荷重入力があったときには、前記後上がりの傾斜部は、前記フロア部の前記蓄電装置の搭載領域を伴うようにして前記剛性断点を起点として後上がり状に回転可能とされており、前記各サイドメンバの前記後上がりの傾斜部は、車両前後方向において、前記蓄電装置の前部とオーバラップする配置に設けられているとともに、前記後上がりの傾斜部の後部は、前記蓄電装置よりも上方かつ車両後方側に位置していることを特徴としている。
【０００９】
このような構成によれば、次のような効果が得られる。
すなわち、車両が後突を生じて車両の後部への所定以上の荷重入力があった場合、剛性断点の存在により、フロア部を蓄電装置の搭載領域よりも車両前方側の部分を起点として屈曲させ、蓄電装置を後上がり状に回転させることが可能である。蓄電装置をこのように回転させることにより、蓄電装置への直接的な荷重の入力が減少し、蓄電装置が損傷することを効果的に防止または抑制することができる。
本発明は、蓄電装置の周辺各部が変形を生じないようにその剛性を高めるのではなく、荷重入力時における変形、蓄電装置の変位を制御すべく剛性断点（脆弱部など）を設ける手段であるため、重量の増大を抑制し、生産性の向上や、製造コストの低減を適切に図ることが可能である。
【００１０】
本発明において、好ましくは、前記フロア部上のうち、前記蓄電装置の搭載領域の車両前方側に位置して車幅方向に延びるクロスメンバを、さらに備えており、このクロスメンバは、上下高さ方向に起立し、かつ下部が前記フロア部に当接して接合された起立壁部を有しており、この起立壁部の下部と前記フロア部との当接接合部は、少なくとも前記蓄電装置の車幅方向の幅よりも広い範囲において、上下および車両前後方向の凹凸段差が無く、車幅方向に直線状に延びた構成とされている。
【００１１】
このような構成によれば、次のような効果が得られる。
すなわち、車両が側突を生じた場合には、車幅方向外方からの側突荷重をクロスメンバが受けることとなる。ここで、クロスメンバの起立壁部とフロア部との当接接合部が、上下および車両前後方向に凹凸段差が無く、車幅方向に直線状に延びた構成とされていれば、そうではない構成と比較すると、前記側突荷重の入力に対して変形を生じ難いものとすることができる（部材がその長手方向に荷重を受ける場合、この部材に凹凸段差や曲げ部などが存在するほど、その部材は曲げ変形を生じ易くなる）。このようなことから、車両の側突時において、側突荷重が蓄電装置に入力することも効果的に防止することが可能となる。
また、前記したクロスメンバの車両前方側には、剛性断点を効果的に設定することも可能となる。
【００１２】
本発明において、好ましくは、前記フロア部に設けられて車両前後方向に延びるフロアトンネル部を、さらに備えており、前記フロアトンネル部の後端部は、車両前後方向において、前記蓄電装置の搭載領域および前記段差部から車両前方側に離間した配置とされている。
【００１３】
このような構成によれば、蓄電装置の搭載領域および段差部と、フロアトンネル部の後端部との相互間の位置に、剛性断点を適切に設定することができ、車両の後突時において、蓄電装置が後上がり状に回転する動作を確実化する上で、より好ましいものとなる。
フロアトンネル部は、通常走行時における剛性確保にも役立つ。
【００１４】
本発明において、好ましくは、前記フロアトンネル部の後端部を、前記蓄電装置の搭載領域および前記段差部のいずれかの固定車両部材に対して橋渡し状に連結するブレースを、さらに備えている。
【００１５】
このような構成によれば、次のような効果が得られる。
すなわち、フロアトンネル部の車両前後方向のサイズを短くし、このフロアトンネル部の後端部が、蓄電装置の搭載領域および段差部から離間した構成にすると、その分だけ、
その周辺部の剛性が低下する。これに対し、前記ブレースは、そのような剛性の低下を補い、十分な剛性を確保するのに役立つ。
また、前記ブレースの仕様により、車両の後突時における蓄電装置の回転動作をコントロールすることもできる。
なお、より好ましくは、ブレースと、その下方に位置するフロア部との相互間には、隙間が設けられた構成とされる。このような構成によれば、車両の後突時に、フロア部がブレースに相対して上昇し得ることとなるため、フロア部の屈曲（蓄電装置の後上がり状の回転）がブレースによって大きく阻害されないようにすることが可能である。
【００１６】
本発明において、好ましくは、前記フロア部に設けられて車両前後方向に延びるフロアトンネル部の左右一対の基端部の下面側に接合され、かつ車両前後方向に延びる左右一対のインナメンバを、さらに備えており、これら一対のインナメンバの後端部は、車両前後方向において、前記蓄電装置の搭載領域および前記段差部から車両前方側に離間した配置とされている。
【００１７】
このような構成によれば、一対のインナメンバの存在により、車両の通常走行時における剛性確保が図られることは勿論のこと、車両が前突し、車両前方からの荷重入力があった場合には、この荷重をフロアトンネル部のみならず、一対のインナメンバによっても受けさせ、衝撃エネルギ吸収を行なわせることができる。したがって、車両の前突時における蓄電装置保護性能をも良好にすることができる。
一方、車両の後突時においては、蓄電装置の搭載領域および段差部と各インナメンバとの相互間の位置でフロア部を適切に屈曲させることができる。すなわち、各インナメンバが、車両の後突時におけるフロア部の屈曲動作を大きく妨げないようにすることができる。
【００１８】
本発明のその他の特徴および利点は、添付図面を参照して以下に行なう発明の実施の形態の説明から、より明らかになるであろう。
【図面の簡単な説明】
【００１９】
【図１】本発明に係る車両構造の一例を示す一部破断要部概略斜視図である。
【図２】図１に示す車両構造のバッテリなどが取付けられていない状態を示す一部破断要部概略斜視図である。
【図３】図１に示す車両構造のサイドメンバの位置における要部側面断面図である。
【図４】（ａ）は、図１のIVa−IVa断面図であり、（ｂ）は、図１のIVb−IVb断面図である。
【図５】図１の要部概略底面図である。
【図６】図１のVI−VI断面図である。
【図７】図３の要部拡大側面断面図である。
【図８】（ａ）は、図７に示す部分の要部断面斜視図であり、（ｂ）は、（ａ）の要部分解断面斜視図である。
【図９】図７に示す部分の要部概略平面図である。
【発明を実施するための形態】
【００２０】
以下、本発明の好ましい実施の形態について、図面を参照して具体的に説明する。
【００２１】
図１に示す車両構造Ａは、たとえばハイブリッド自動車などの車両に適用されており、車両のフロア部１に設けられた段差部１０、この段差部１０上に搭載された蓄電装置としてのバッテリ２、櫓状構造体３、クロスメンバ４、フロアトンネル部１１、ブレース５０、一対のインナメンバ５１、および一対のサイドメンバ７を備えている。
さらに、この車両構造Ａにおいては、車両の後突が発生した際に、バッテリ２が、図４
の矢印Ｎａで示す方向に回転して後上がり状となることを可能とする剛性断点ＲＰが、さらに具備されている。
【００２２】
図１および図２において、フロア部１の段差部１０は、車両のフロア部１のうち、車両前後方向の略中央部、またはそれよりも車両後方寄りの部位に設けられている。図中、符号９は、後輪を示している。
本実施形態においては、フロア部１のうち、段差部１０よりも車両前方側がフロントフロアパネル部１ａであり、段差部１０および段差部１０よりも車両後方側がリヤフロアパネル部１ｂである。段差部１０は、その前部がフロントフロアパネル部１ａよりも適当な高さだけ高くなった部分であって、基本的には、車両後方側に進むほど高さが徐々に高くなるように傾斜した傾斜部を含んでいる。ただし、この傾斜部には、平坦化された領域（周囲と比較すると凹状に窪んだ領域）が設けられ、この領域が、バッテリ２の搭載領域Ｓとされている。バッテリ２は、駆動用メインバッテリであり、たとえば大型のリチウムイオン二次電池、あるいはニッケル水素二次電池などである。
【００２３】
櫓状構造体３は、たとえば複数のパイプ材を接合するなどして構成されており、バッテリ２の上方を覆うように設けられている。この櫓状構造体３は、バッテリ２を囲んでおり、バッテリ２の保護に役立つが、リヤシートのシートクッションフレームを兼用している。櫓状構造体３の上側には、リヤシートを構成するシートクッション３７や、シートバック３８が載せられる。櫓状構造体３の取付けは、たとえば前側の支持脚部３ａがクロスメンバ４に固定され、かつ後側の支持部３ｂがサイドメンバ７に固定されることにより行なわれている。
【００２４】
図３によく表れているように、フロア部１のバッテリ２の搭載領域Ｓの下側には、燃料タンク９１が設けられている。また、車両後部の荷室９８のリヤフロアパネル部１ｂには、凹部１８が形成され、かつこの凹部１８内には、鉛蓄電池などの補機用バッテリ２８が搭載されている。車両の後端部には、バックドア９７により開閉される後部開口部９６、その下部に位置するロアバック９５などが設けられており、車両の後突時には、これらの部分に荷重Ｆが入力する。
【００２５】
図５によく表れているように、一対のサイドメンバ７は、車幅方向に間隔を隔てて互いに対向し、かつ底面視において屈曲した形態を有しつつ車両前後方向に延びている。フロア部１は、各サイドメンバ７の上面部に接合されている。図７において、各サイドメンバ７は、側面視屈曲状であり、後上がりの傾斜部７ａと、この傾斜部７ａの車両前方側に曲げ部７ｃを介して繋がった略水平状の水平部７ｂとを有している。傾斜部７ａは、車両前後方向において、バッテリ２の搭載領域Ｓとオーバラップした配置（バッテリ２の車幅方向外方側）である。
【００２６】
図７〜図９において、各サイドメンバ７には、補強部材８が溶接（接合）されており、このことにより剛性断点ＲＰが設けられている。
具体的には、サイドメンバ７は、図８に示すように、断面ハット状であるのに対し、補強部材８も、その基本的な形状は断面ハット状である。これらサイドメンバ７と補強部材８との組み合わせ構造においては、補強部材８の底壁部８０の前部８０ａが、サイドメンバ７の水平部７ｂの底壁部７０に溶接された前側接合部７２ａが設けられている。また、補強部材８の後部寄り領域に設けられた上側フランジ部８１が、水平部７ｂから曲げ部７ｃを介して傾斜部７ａまで跨がり、かつこれらの部分に位置するサイドメンバ７の上側フランジ部７１に溶接された後側接合部７２ｂも設けられている。図９に、補強部材８とサイドメンバ７との溶接部Ｗの配置例を示しているが、補強部材８とサイドメンバ７との互いに対向接触する側壁部どうしも適宜溶接されている。
【００２７】
本実施形態において、剛性断点ＲＰは、各サイドメンバ７のうち、前側接合部７２ａと後側接合部７２ｂとの相互間の部分、より厳密には、前側接合部７２ａの後端から後側接合部７２ｂの前端に至る部分である（理解の容易のため、図面では、剛性断点ＲＰを、仮想線で適宜示している）。本実施形態では、前側接合部７２ａの後端と後側接合部７２ｂの前端との車両前後方向における位置が略一致しているが、これに限らず、たとえばそれらの後端と前端とが、車両前後方向において離間した配置とされていてもよい。
【００２８】
剛性断点ＲＰが設けられていることに基づき、サイドメンバ７は、車両後方側から所定以上の大きな荷重入力を受けた場合に、剛性断点ＲＰが起点となって、矢印Ｎｂで示すように、後上がり状に屈曲変形可能である。サイドメンバ７のそのような屈曲変形は、フロア部１の屈曲変形を伴う。このため、バッテリ２も、矢印Ｎａで示すように、後上がり状に回転することとなる（図４（ａ）も参照）。
本実施形態では、剛性断点ＲＰの車両後方側に、曲げ部７ｃが存在するものの、荷重入力時には、あく迄も剛性断点ＲＰをサイドメンバ７の屈曲変形の起点とすることが可能であり、サイドメンバ７が、曲げ部７ｃを起点として屈曲変形することは抑制される。なお、図７の符号９２は、補強部材８とは別の補強部材を示している。
【００２９】
図１および図２において、クロスメンバ４は、一対のサイドメンバ７の相互間に橋渡し状に設けられて車幅方向に延びており、フロア部１の段差部１０の前端部に沿うようにしてフロア部１上に配設されている。図４によく表れているように、このクロスメンバ４は、上下高さ方向に起立した起立壁部４０を有しており、この起立壁部４０の下部は、フロア部１の上面に当接して接合されている。好ましくは、起立壁部４０の下部とフロア部１との当接接合部４１は、車両前後方向において、剛性断点ＲＰよりも車両後方側とされている。また、図１および図２に示すように、前記した当接接合部４１は、少なくともバッテリ２の幅Ｌｂよりも広い範囲Ｌａにおいて、上下および車両前後方向に凹凸段差が無く、車幅方向に直線上に延びた構成とされている。
なお、図３および図４に示すように、バッテリ２の車両後方側にも、別のクロスメンバ４Ａが設けられている。このクロスメンバ４Ａも、一対のサイドメンバ７の相互間に橋渡し状に設けられている。バッテリ２の前後に位置する２つのクロスメンバ４，４Ａは、車体の車幅方向の強度を高め、車両の側突時に、バッテリ２を保護するのに役立つ。
【００３０】
フロアトンネル部１１は、段差部１０およびバッテリ２の搭載領域Ｓよりも車両前方側の位置であって、フロア部１の車幅方向中央部に設けられており、かつ車両前後方向に延びている。このフロアトンネル部１１の内側には、たとえば排気管９４が通されている（図５を参照）。このフロアトンネル部１１の後端部１１ａは、クロスメンバ４の位置まで延びておらず、クロスメンバ４の車両前方側に適当な寸法だけ離間した配置に設けられている。車両前後方向において、フロアトンネル部１１の後端部１１ａとクロスメンバ４との相互間に、剛性断点ＲＰが位置している。
本実施形態では、フロアトンネル部１１の後端部１１ａが、車両後方側ほど高さが徐々に低くなるように傾斜しているが、これに代えて、後端部１１ａが非傾斜状に断ち切られた形態とすることもできる。
【００３１】
ブレース５０は、フロアトンネル部１１の後端部１１ａの上部と、クロスメンバ４の上部とに前後両端部が接合されて、これらの部分を橋渡し状に連結するものである。このことにより、フロアトンネル部１１とクロスメンバ４との相互間領域全体の強度を高めることが可能であるが、このブレース５０の厚みや幅などの仕様変更により、車両の後突時におけるバッテリ２の回転動作の円滑さなどをコントロールすることが可能である。好ましくは、ブレース５０とその直下のフロア部１との相互間には、適度な隙間５２が形成されている。このような構成によれば、車両の後突時において、フロア部１が後上がり状に屈曲する際に、隙間５２がフロア部１の移動可能領域となり、フロア部１の屈曲に伴わせて
バッテリ２を適切に回転させることが可能となる。
【００３２】
図５および図６によく表れているように、一対のインナメンバ５１は、フロアトンネル部１１の左右一対の基端部１１ｂの下面側に接合され、かつ車両前後方向に延びている。なお、図６において、符号９３は、ロッカである。
図４および図５に示すように、各インナメンバ５１の後端部５１ａは、フロアトンネル部１１の後端部１１ａと同様に、車両前後方向において、クロスメンバ４の位置まで延びておらず、クロスメンバ４の車両前方側に適当な寸法だけ離間した配置に設けられている。
インナメンバ５１の後端部５１ａは、車両後方側ほど高さが徐々に低くなるように傾斜しているが、既述したフロアトンネル部１１の後端部１１ａと同様に、後端部５１ａが非傾斜状に断ち切られた形態とすることもできる。
【００３３】
次に、前記した車両構造Ａの作用について説明する。
【００３４】
まず、車両が後突を生じ、車両後部に所定以上の荷重Ｆの入力があると、この荷重Ｆの一部は、一対のサイドメンバ７に入力し、各サイドメンバ７を車両前方に圧縮させる力として作用する。すると、各サイドメンバ７は、既述したように、剛性断点ＲＰよりも車両後方側部分が、図４（ａ）の矢印Ｎｂで示すように、剛性断点ＲＰを起点として上昇するように屈曲し、かつバッテリ２は、同図の矢印Ｎａで示すように、後上がり状に回転する。バッテリ２のこのような回転動作により、バッテリ２への直接的な荷重入力が抑制され、バッテリ２の損傷を効果的に防止することが可能である。剛性断点ＲＰが設けられているサイドメンバ７は、バッテリ２の搭載領域Ｓの車幅方向外方側に位置しているため、サイドメンバ７の屈曲変形度合いと比較すると、バッテリ２の回転動作を緩やかなものとすることが可能である。したがって、バッテリ２の搭載領域Ｓが、不必要に大きく変形・変位しないようにすることも可能である。
【００３５】
バッテリ２の損傷防止手段として、各サイドメンバ７に剛性断点ＲＰを設け、荷重Ｆの入力時における各部の変形や、バッテリ２の変位を制御する手段が採用されているため、車両の重量の増大を抑制し、生産性の向上、ならびに製造コストの低減を適切に図ることができる。
【００３６】
剛性断点ＲＰは、車両に元々設けられるサイドメンバ７に、補強部材８を接合することにより設けられている。したがって、その構成は合理的であり、製造コストを一層低減することが可能である。
【００３７】
クロスメンバ４，４Ａは、車両の側突時において、車幅方向外方から入力する側突荷重を受け、バッテリ２に側突荷重が直接的に入力することを防止する役割を果たす。とくに、クロスメンバ４の起立壁部４０の下部とフロア部１との当接接合部４１は、バッテリ２の幅Ｌｂよりも広い範囲Ｌａにわたって上下および車両前後方向に凹凸段差が無く、車幅方向が延びた直線状とされているため、範囲Ｌａは、車幅方向外方から入力する荷重によって容易に曲げ変形を生じ難いものとすることができる。その結果、側突荷重がバッテリ２に入力することを、より効果的に防止することが可能となる。また、クロスメンバ４の車両前方側の位置には、剛性断点ＲＰを効果的に設定することも可能となる。
【００３８】
フロアトンネル部１１の後端部１１ａは、既述したように、クロスメンバ４の車両前方側に離間している。このため、車両の後突時において、各サイドメンバ７が剛性断点ＲＰを起点として屈曲する場合に、これに伴わせて、フロア部１のうち、後端部１１ａとクロスメンバ４との相互間の位置を適切に屈曲させることが可能である。本発明においては、本実施形態とは異なり、フロアトンネル部１１の後端部１１ａをクロスメンバ４に接続し
た構成とすることも可能であるが、この場合には、フロアトンネル部１１の剛性が大きいため、車両の後突時に、剛性断点ＲＰに対応する箇所でフロア部１を適切に屈曲変形させることが難しくなる場合がある。これに対し、本実施形態の構成によれば、そのような虞を適切になくすことが可能であり、好ましい。
【００３９】
ブレース５０は、フロアトンネル部１１の後端部１１ａとクロスメンバ４とを接続しているが、このような構成によれば、後端部１１ａとクロスメンバ４との相互間領域の強度を高めることができる。したがって、フロアトンネル部１１をクロスメンバ４に接続していないことに起因して、車両に強度不足が発生するといった不具合を生じないようにすることが可能である。ブレース５０の仕様を変更することにより、車両の後突時におけるバッテリ２の回転動作をコントロールすることもできる。好ましくは、ブレース５０とフロア部１との相互間には、隙間５２が設けられており、車両の後突時に、フロア部１の屈曲（バッテリ２の回転）がブレース５０によって阻害されないようにすることも可能である。
【００４０】
一対のインナメンバ５１は、フロアトンネル部１１の剛性を高める。車両の前突時においては、フロアトンネル部１１とともに、これらインナメンバ５１も前突荷重を受け、そのエネルギを吸収し得ることとなる。このため、車両の前突荷重が、バッテリ２に直接的に入力することを抑制する作用も優れたものとすることが可能である。一方、インナメンバ５１の後端部５１ａは、フロアトンネル部１１の後端部１１ａと同様に、車両前後方向において、クロスメンバ４の車両前方側に離間した配置とされている。このため、車両の後突時において、フロア部１が剛性断点ＲＰに対応する箇所で屈曲する動作が、インナメンバ５１の後端部５１ａによって阻害されるといったこともない。
【００４１】
本発明は、上述した実施形態の内容に限定されない。本発明に係る車両構造の各部の具体的な構成は、本発明の意図する範囲内において種々に設計変更自在である。
【００４２】
上述の実施形態においては、一対のサイドメンバ７のそれぞれに補強部材８を接合し、サイドメンバ７自体の剛性を低下させず、サイドメンバ７を補強しつつ、剛性断点ＲＰを設けており、車両の強度不足を生じないようにする上で好ましい構成である。ただし、本発明はこれに限定されない。本発明における剛性断点は、たとえば各サイドメンバ７に切欠き部や薄肉部などの脆弱部を設けるなどして構成することもできる。
【００４３】
蓄電装置は、必ずしもリヤシートなどの車両用シートの下方スペースに配置されていなくてもよい（つまり、蓄電装置の上方に車両用シートを設置しなくてもよい）。蓄電装置は、フロア部の段差部に搭載されていればよい。段差部は、必ずしも後上がりの傾斜状でなくてもよく、フロア部の他の領域と比較して段差を生じている領域とされていればよい。
蓄電装置の具体的な種類や数なども限定されない。本発明でいう蓄電装置には、各種のバッテリの他、キャパシタも含まれる。
【符号の説明】
【００４４】
Ａ  車両構造
ＲＰ  剛性断点
Ｓ  バッテリの搭載領域（蓄電装置の搭載領域）
１  フロア部
１０  段差部
１１  フロアトンネル部
１１ａ  後端部（フロアトンネル部の）
２  バッテリ（蓄電装置）
４  クロスメンバ
４０  起立壁部
４１  当接接合部
５０  ブレース
５１  インナメンバ
５１ａ  後端部（インナメンバの）
７  サイドメンバ
７ａ  傾斜部（サイドメンバの）
７ｂ  水平部（サイドメンバの）
７ｃ  曲げ部
７２ａ  前側接合部
７２ｂ  後側接合部
８  補強部材
【図１】
0006987482.tif 000002
【図２】
0006987482.tif 000003
【図３】
0006987482.tif 000004
【図４】
0006987482.tif 000005
【図５】
0006987482.tif 000006
【図６】
0006987482.tif 000007
【図７】
0006987482.tif 000008
【図８】
0006987482.tif 000009
【図９】
0006987482.tif 000010